(57)【要約】      （修正有）【課題】バールンの様な風船の、空気注入口の自動逆止弁の製袋装置であって、逆止弁が製袋時に加工してありますので、空気を入れた後結んだり、栓をする必要がなく、逆止弁付き袋が安価に製袋できる。【解決手段】第一パネル１の内側上部に非接着剤を指定位置のみに塗布し、第二パネルを重ね、第一パネルの非接着剤塗布部の両横側を熱接着させる。第二パネルに第三パネル３を重ね、第一パネルと第二パネルの熱接着部を繋ぐ形で広幅熱接着する。第一パネル１の非接着剤塗布部が空気注入口となる、第一パネルと第二パネルと第三パネルの四方を熱接着させた逆止弁付袋の製袋装置。第一パネルの非接着剤塗布部には粘着剤を塗布する事もある。【選択図】図１
2018034890.tif 000002
【特許請求の範囲】
【請求項１】
自動製袋機械において、連続的に逆止弁付袋を製袋する製袋装置、
長尺第一パネルの内側上部に非接着剤を指定位置のみに間欠的に塗布する、第一パネルの非接着剤塗布面部に第二パネルを重ねる、第一パネルと第二パネルを第一パネルの非接着剤塗布部の両横側を熱接着させる、次に、第二パネルに第三パネルを重ねる、第一パネルと第二パネルの熱接着部を繋ぐ形で第一パネルと第二パネルと第三パネルを広幅熱接着する、次の工程で、第一パネルと第二パネルと第三パネルの四方を熱接着して、逆止弁付き製袋を行う製袋装置。
【請求項２】
長尺第一パネルの内側上部に非接着剤を指定位置のみに間欠的に塗布された第一パネルである。
【請求項３】
長尺第二パネルは第一パネルより細幅パネルである。
【請求項４】
長尺第一パネルの非接着剤塗布面に第二パネルを重ねる、長尺第一パネルと第二パネルを第一パネルの非接着剤塗布部の両横側を熱接着させる、製袋装置。
【請求項５】
第二パネルに第三パネルを重ねる、第一パネルと第二パネルの熱接着部を繋ぐ形で第一パネルと第二パネルと第三パネルを広幅熱接着させる、製袋装置。
【請求項６】
第一パネルには、非接着剤塗布のため、第一パネルと第二パネルは熱接着はしないため、空気注入口となる、第二パネルと第三パネルは非接着剤が塗布されていないため、熱接着する、製袋装置。
【請求項７】
第一パネルと第二パネルと第三パネルの四方を熱接着させて、逆止弁付袋の製袋装置、
【請求項８】
袋の形態によって、第一パネルの内側に非接着剤を指定位置のみに間欠的に塗布された、下部に粘着剤を塗布する事もある第一パネルである。
【発明の詳細な説明】
【技術分野】
【０００１】  逆止弁付袋の自動製袋装置に関する。
【背景技術】
【０００２】  バールンの様な風船の、空気注入口の自動逆止弁の製袋装置。【０００３】  逆止弁が製袋時に加工してありますので、空気を入れた後結んだり、のり貼りをしたり、栓をする必要がありません。
【先行技術文献】
参考文献  実用新案登録３１９６１５５号
考案の名称  開閉自在袋
【発明の概要】
【発明が解決しようとする課題】
【０００４】  風船の空気注入口は、特殊な逆止弁を製袋後に手作業で取り付けている、よって、非能率的である。【０００５】  上記の方法で作業するため、大量に安価に製袋することが不可能である。【０００６】  逆止弁の袋に取り付け不良が多く発生している。【０００７】  特殊逆止弁が特殊加工のため、高価である。
【発明が解決するための手段】
【０００８】  第一パネルの内側上部に非接着剤を指定位置のみに間欠的に塗布された第一パネルである。
【０００９】  第二パネルは第一パネルより細幅パネルである。
【００１０】  第一パネルの非接着剤塗布面に第二パネルを重ね、第一パネルと第二パネルを第一パネルの非接着剤塗布部の両横側を熱接着させる、製袋装置。
【００１１】  第二パネルに第三パネルを重ねる、第一パネルと第二パネルの熱接着部を繋ぐ形で第一パネルと第二パネルと第三パネルを広幅熱接着させる、製袋装置。
【００１２】  第一パネルには、非接着剤塗布のため、第一パネルと第二パネルは熱接着しないため、空気注入口となる、第二パネルと第三パネルは非接着剤が塗布されていないため、熱接着する、製袋装置。
【００１３】  第一パネルと第二パネルと第三パネルの四方を熱接着させて、逆止弁付袋の製袋装置、
【００１４】  袋の形態によって、第一パネルの内側に非接着剤を指定位置のみに間欠的に塗布された、下部に粘着剤を塗布する事もある第一パネルである。
【発明の効果】
【００１５】  第一パネルに非接着剤を塗布してあるため、各パネルの四方を接着させても、非接着剤塗布部は、接着しないため、空気注入口に成る。
【００１６】  袋の形態によって、第一パネルに粘着剤を塗布したあるため、空気注入後の逆止になる。
【００１７】  逆止弁が製袋時に加工してありますので、空気を入れた後結んだり、栓をする必要がありません。
【００１８】  逆止弁付袋が安価にて、大量に製袋できる。
【発明の実施するための形態】
【００１９】  本発明の実施の形態を図面を参照しながら詳細に説明する。なお、以下の説明にあたって、同一構成要件については、同一符号を付けて、重複した説明を省略する。
【００２０】  自動製袋機械において、連続的に逆止弁付袋を製袋する製袋装置である。
【００２１】  第一パネルの内側上部に非接着剤を指定位置のみに間欠的に塗布された第一パネルである。
【００２２】  第二パネルは第一パネルより細幅パネルである。
【００２３】  第一パネルの非接着剤塗布面に第二パネルを重ね、第一パネルと第二パネルを第一パネルの非接着剤塗布部の両横側を熱接着させる、製袋装置。
【００２４】  第二パネルに第三パネルを重ねる、第一パネルと第二パネルの熱接着部を繋ぐ形で第一パネルと第二パネルと第三パネルを広幅熱接着させる、製袋装置。
【００２５】  第一パネルには、非接着剤塗布のため、第一パネルと第二パネルは熱接着しないちめ、空気注入口となる、第二パネルと第三パネルは非接着剤が塗布されていないため、熱接着する、製袋装置。
【００２６】  第一パネルと第二パネルと第三パネルの四方を熱接着させて、逆止弁付袋の製袋装置、
【００２７】  袋の形態によって、第一パネルの内側に非接着剤を指定位置のみに間欠的に塗布された、下部に粘着剤を塗布する事もある第一パネルである。
【発明の効果】
【００２８】  第一パネルに非接着剤を塗布してあるため、各パネルの四方を接着させても、非接着剤塗布部は、接着しないため、空気注入口に成る。
【００２９】  袋の形態によって、第一パネルの内側に非接着剤塗布部、下部に粘着剤を塗布したあるため、空気注入後の逆止になる。
【００３０】  逆止弁が製袋時に加工してありますので、空気を入れた後結んだり、栓をする必要がありません。
【００３１】  逆止弁付袋が安価にて、大量に製袋できる。
【発明の実施するための形態】
【００３２】  本発明の実施の形態を図面を参照しながら詳細に説明する。なお、以下の説明にあたって、同一構成要件については、同一符号を付けて、重複した説明を省略する。
【００３３】  自動製袋機械において、連続的に逆止弁付袋を製袋する製袋装置である。
【００３４】  長尺第一パネル１の内側上部に非接着剤４を指定位置のみに間欠的に塗布された第一パネル１である。
【００３５】  長尺第二パネル２を第一パネル１の非接着剤塗布面部４に重ねる、
【００３６】  長尺第二パネルは２第一パネル１より細幅である。
【００３７】  第一パネル１と第二パネル２を第一パネル１の非接着剤塗布部４の両横側を熱接着６させる、製袋装置。
【００３８】  第二パネル２に第三パネル３を重ねる、第一パネル１と第二パネル２の熱接着部６を繋ぐ形で第一パネル１と第二パネル２と第三パネル３を広幅熱接着９させる、製袋装置。
【００３９】  第一パネル１には、非接着剤塗布４のため、第一パネル１と第二パネル２は熱接着９しないため、空気注入口７となる、第二パネル１と第三パネル３は非接着剤が塗布されていないため、熱接着９する、製袋装置。
【００４０】  第一パネル１と第二パネル２と第三パネル３の四方を熱接着８させて、逆止弁付袋の製袋装置、
【００４１】  袋の形態によって、第一パネルの内側に非接着剤を指定位置のみに間欠的に塗布された、下部に粘着剤５を塗布する事もある第一パネルである。
【００４２】  第一パネル１に非接着剤４を塗布してあるため、各パネルの四方を接着８させても、非接着剤塗布部４は、接着しないため、空気注入口７に成る。
【００４３】  袋の形態によって、第一パネル１に粘着剤５を塗布したあるため、空気注入後の逆止になる。
【００４４】  第一パネル１を細幅使用して、第四パネルを追加使用することもある。
【図面の簡単な説明】
【図１】  逆止弁付袋の全体説明図。
【図２】  第一パネルのひ接着剤塗布平面説明図。
【図３】  第一パネルと第二パネルの非接着塗布部の熱接着説明図。
【図４】  第一パネルと第二パネルと非接着剤塗布部をはさむ形の接着部説明図。
【図５】  各パネルの熱接着部を繋ぐ広幅熱接着正面図。
【図６】  各パネルの四方接着を示す正面図。
【符号の説明】  １  第一パネル
２  第二パネル
３  第三パネル
４  非接着剤塗布部
５  粘着剤塗布部
６  非接着剤塗布部をはさむ接着部
７  空気注入口、逆止弁
８  各パネルの四方接着部
９  広幅熱接着部
【図１】
2018034890.tif 000003
【図２】
2018034890.tif 000004
【図３】
2018034890.tif 000005
【図４】
2018034890.tif 000006
【図５】
2018034890.tif 000007
【図６】
2018034890.tif 000008
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
自動製袋機械において、連続的に逆止弁付袋を製袋する製袋装置、
長尺第一パネルの内側上部に非接着剤を指定位置のみに間欠的に塗布された第一パネルの非接着剤塗布面部に第一パネルより細幅である、第二パネルを重ねる、第一パネルと第二パネルを第一パネルの非接着剤塗布部の両横側を熱接着させる、次に、第二パネルに第三パネルを重ねる、第一パネルと第二パネルの熱接着部を繋ぐ形で第一パネルと第二パネルと第三パネルを広幅熱接着する、次の工程で、第一パネルと第二パネルと第三パネルの四方を熱接着させる、前書き全手段を備える、逆止弁付き袋を、製袋する自動製袋機械の製袋装置。